(57)【特許請求の範囲】
【請求項１】
温水を生成する熱源機と、電話コントロール接続端子を有し、前記熱源機で生成された温水が供給される空気調和機の室内機と、前記熱源機で生成された温水が熱動弁を介して供給される床暖房装置とを含む空気調和システムにおいて、
前記空気調和機の室内機の運転を制御する第１のリモートコントロール装置と、
前記熱源機に床暖房運転信号及び床暖房停止信号を送信するとともに、前記空気調和機の室内機に設けられた電話コントロール接続端子を利用して前記空気調和機の室内機にテレコン信号パルスを出力して前記室内機の運転状態を切り換え制御可能な第２のリモートコントロール装置とを備え、
前記第２のリモートコントロール装置は、前記床暖房装置の単独運転、前記空気調和機の単独運転、及び、前記床暖房装置と前記空気調和機との連動運転の指示を入力するキーを備え、前記キーを介して前記床暖房装置の単独運転指示を入力すると、前記熱源機に前記熱電動弁の制御を指示し、前記キーを介して前記空気調和機の単独運転の指示を入力すると、前記電話コントロール接続端子を介して入力されるオンオフ信号により前記室内機がオンかオフかを判定し、オフと判定した場合にのみテレコン信号パルスを出力し、前記キーを介して前記床暖房装置と前記空気調和機との連動運転の指示を入力すると、前記熱源機に前記熱電動弁の制御を指示するとともに、前記電話コントロール接続端子を介して入力されるオンオフ信号により前記室内機がオンかオフかを判定し、オフと判定した場合にのみ前記テレコン信号パルスを出力し、さらに、電話回線に接続されるテレコンアダプタが接続可能に構成され、このテレコンアダプタを介して外部から遠隔操作可能に構成されていることを特徴とする空気調和システム。
【請求項２】
前記第２のリモートコントロール装置は、前記電話コントロール接続端子から出力される前記空気調和機の室内機の運転状態を優先表示する機能を有することを特徴とする請求項１に記載の空気調和システム。
【請求項３】
前記第２のリモートコントロール装置は、前記空気調和機の検出した室内温度と設定温度との偏差に基づいて床暖房用の運転信号を出力することを特徴とする請求項１又は２に記載の空気調和システム。
【発明の詳細な説明】
【０００１】
【発明の属する技術分野】
本発明は、空気調和機や床マット等の床暖房装置の複数の空気調和機を含む空気調和システムに係り、より詳細には、電話回線を介して行われる遠隔制御（テレフォンコントロール、以下、略してテレコンという。）機能、あるいはホームオートメーション（ＨＡ）機能を有する空気調和システムのリモートコントロール装置（以下、リモコンという。）に関する。
【０００２】
【従来の技術】
従来、同一の熱源の共用して空気調和機と床マット等の床暖房装置を含む空調システムの場合、空気調和機側の室内機の運転制御は赤外線リモコンにより行い、床暖房装置の運転制御はシステムリモコンにより行うように構成されていた。室内機にはテレコン接続端子、または、ＨＡ端子が設けられているが、床暖房用のシスコンを室内機のテレコン接続端子と接続しても、システムリモコンは室内機の運転を制御するに十分な機能を有してはいない。
【０００３】
【発明が解決しようとする課題】
上記従来の構成によれば、床暖房と室内機との協調運転を行う場合、両者の運転を個別のリモコン装置によって制御する必要があり、使い勝手が悪いという問題があった。
【０００４】
本発明の目的は、システムリモコンによって床暖房や室内機の運転状態の制御を可能にして、暖房運転及び冷房運転の制御を容易かつ簡便なものとする空気調和システムを提供することにある。
【０００５】
【課題を解決するための手段】
上記課題を解決するために、請求項１に記載の発明は、温水を生成する熱源機と、電話コントロール接続端子（例えば、テレコン端子またはＨＡ端子）を有し、前記熱源機で生成された温水が供給される空気調和機の室内機と、前記熱源機で生成された温水が熱動弁を介して供給される床暖房装置とを含む空気調和システムにおいて、前記空気調和機の室内機の運転を制御する第１のリモートコントロール装置と、前記熱源機に床暖房運転信号及び床暖房停止信号を送信するとともに、前記空気調和機の室内機に設けられた電話コントロール接続端子を利用して前記空気調和機の室内機にテレコン信号パルスを出力して前記室内機の運転状態を切り換え制御可能な第２のリモートコントロール装置とを備え、前記第２のリモートコントロール装置は、前記床暖房装置の単独運転、前記空気調和機の単独運転、及び、前記床暖房装置と前記空気調和機との連動運転の指示を入力するキーを備え、前記キーを介して前記床暖房装置の単独運転指示を入力すると、前記熱源機に前記熱電動弁の制御を指示し、前記キーを介して前記空気調和機の単独運転の指示を入力すると、前記電話コントロール接続端子を介して入力されるオンオフ信号により前記室内機がオンかオフかを判定し、オフと判定した場合にのみテレコン信号パルスを出力し、前記キーを介して前記床暖房装置と前記空気調和機との連動運転の指示を入力すると、前記熱源機に前記熱電動弁の制御を指示するとともに、前記電話コントロール接続端子を介して入力されるオンオフ信号により前記室内機がオンかオフかを判定し、オフと判定した場合にのみ前記テレコン信号パルスを出力し、さらに、電話回線に接続されるテレコンアダプタが接続可能に構成され、このテレコンアダプタを介して外部から遠隔操作可能に構成されていることを特徴とする。
【０００６】
この請求項１に記載の発明によれば、第２のリモートコントロール装置によって床暖房や室内機の運転状態を統一的に制御することが可能となる。
【０００７】
請求項２に記載の発明は、上記構成において、前記第２のリモートコントロール装置は、前記電話コントロール接続端子から出力される前記空気調和機の室内機の運転状態を優先表示する機能を有することを特徴とする。
【０００８】
この請求項２に記載の発明によれば、例えば、空気調和機の単独運転モード選択時に第１のリモートコントロール装置により室内機の運転を行った場合、その運転状態を電話コントロール接続端子を介して第２のリモートコントロール装置側で検出し、第２のリモートコントロール装置でも同様の運転表示を行う。これによって、室内機の運転状態が分かりやすくなり、第１のリモートコントロール装置と第２のリモートコントロール装置の両方での運転制御が容易かつ簡便になる。
【０００９】
請求項３に記載の発明は、上記構成において、前記第２のリモートコントロール装置は、前記空気調和機の検出した室内温度と設定温度との偏差に基づいて床暖房用の運転信号を出力することを特徴とする。
【００１０】
この請求項３に記載の発明によれば、第２のリモートコントロール装置の運転希望に応じた運転信号を出力することができ、室温と設定温度に応じて床暖房用の運転信号を出力することができる。
【００１１】
【発明の実施の形態】
次に、本発明の好適な実施の形態を添付図面に基づいて説明する。
【００１２】
図１は、この発明のリモコン装置を含む空調システムの概要を示すブロック図である。
【００１３】
暖房や冷房を行う室内機１０は、システムリモコン２０のテレコン信号パルスを受信するテレコン接続端子（あるいはＨＡ端子：ホームオートメーション端子）を備え、熱源機３０で生成された温水が供給されている。
【００１４】
赤外線リモコン４０は室内機１０を赤外線信号によって遠隔操作するリモコンであり、冷房用の室外機５０と接続された室内機１０の冷房制御も行うことができる。
【００１５】
６０は床暖房用の放熱手段である床マットである。床マット６０には上記熱源機３０から熱動弁７０のオンオフによって制御された量の温水が供給される。
【００１６】
熱動弁７０のオンオフ制御は、熱源機３０からの温度制御信号Ｐ０１によって指令される。この信号Ｐ０１は、システムリモコン２０からの床暖房運転信号Ｐ１１に応じて生成される。
【００１７】
なお、熱源機３０には室内機１０からも暖房用の温水の温度や流量を制御するための制御信号Ｐ１２が指令される。
【００１８】
したがって、上記室内機１０は赤外線リモコン４０による暖房制御だけではなく、システムリモコン２０から運転の発停信号として出力されるテレコン信号パルスを受けて運転される。
【００１９】
図２は、システムリモコン２０の外観を示す平面図である。
【００２０】
表示部１は液晶表示器を用いて構成され、運転状態表示部、現在時刻表示部、プログラム時刻表示部、設定温度表示部を有している。
【００２１】
また、システムリモコン２０には運転キー２ａの他、連動キー２ｂ、床暖キー２ｃ、エアコンキー２ｄ等のモード設定用のキーが配置され、それらに対応する運転モード表示ランプ３、４、５、６が設けられている。
【００２２】
運転キー２ａをオンすると、連動２ｂ、床暖房２ｃ、エアコン２ｄのいずれかのモードにて運転される。また、運転中は運転ランプ３と連動ランプ４、床暖ランプ５、エアコンランプ６のいずれかのモードランプが点灯する。なお、ルームサーミスタ７は、室温を検出する。
【００２３】
図３は、室内機１０、システムリモコン２０、及び熱源機３０の制御システム図である。
【００２４】
室内機１０の制御部は、マイクロコンピュータ（以下、マイコンという。）１１と、その入出力制御部１２とから構成される。マイコン１１には、室内機１０に設けられた各種のコントロールキーから温度設定入力等のキー信号がキー入力制御部１２を介して入力され、表示制御部１３やサーミスタ制御部１４からも各種信号が入力される。マイコン１１は判定遅延タイマを有している。
【００２５】
赤外線リモコン受信回路１５は赤外線リモコン４０による設定信号を受信して、マイコン１１に入力する。テレコン制御端子１６は、マイコン１１に接続されて、室内機１０のオンオフ判定信号であるアンサバック信号をシステムリモコン２０に出力する。通信回路１７は熱源機３０と双方向通信を行うためのものである。  システムリモコン２０の制御部も、同様に、マイコン２１とキー入力制御部２２、表示制御部２３、サーミスタ制御部２４等の入力制御部から構成される。また、テレコン制御部２５を介してテレコンアダプタ８０と電話機９０とが接続され、電話回線を介してシステムリモコン２０を遠隔操作可能に構成されている。なお、マイコン２１は運転遅延タイマを含んでいる。
【００２６】
室内機制御回路２６は室内機１０と有線または無線で接続され、テレコン接続端子１６のアンサバック信号を受信するとともに、運転キー操作に応じて発停信号パルスを室内機１０に送出している。通信回路２７は熱源機３０と双方向通信を行うためのものである。
【００２７】
熱源機３０の制御部は、マイコン３１、温水サーミスタ３２、燃焼制御回路３３、熱動弁ドライバ３４及び通信回路３５を含み、燃焼制御回路３３はガス弁７１及び点火器７２をマイコン３１からの指令に基づいて制御している。また、熱動弁ドライバ３４は上記熱動弁７０を制御している。
【００２８】
次に、本実施の形態における作用を説明する。
【００２９】
図４は、床暖房とエアコン連動運転時のフローチャートである。
【００３０】
ステップＳ４１では、運転キー２ａの状態を判断しており、これをオンすることにより、運転ランプ３と連動ランプ４が点灯する。ステップＳ４２では、ルームサーミスタ７の検出する室温と設定温度との偏差に基づいて、床暖房用の放熱機としての床マット６０への温水供給を熱動弁７０のオンオフにより制御する。
【００３１】
この制御は、例えば設定温度に達するまでは熱動弁７０を連続してオンし、設定温度から設定値プラス２度の範囲においてオンオフ制御する。そして、オンオフを２０分のインターバルで５分オンから１分刻みで２０分連続オンまで切り換えながら、室内温度の制御を行う。
【００３２】
ステップＳ４３では、運転キー２ａがオンの場合、室内機としてのエアコン１０がオフであることをテレコン２０のアンサバック信号により判定した場合には、ステップＳ４４に進み、テレコン信号パルスを出力する。ステップＳ４３の判定で、エアコン１０がオンであれば、赤外線リモコン４０によりオンしているものとして、テレコン信号パルスは出力しない。
【００３３】
ステップＳ４１の判断で、運転キー２ａによる運転オフ時には、ステップＳ４５に進み、床暖房停止信号を送出して運転表示をオフとする。そして、ステップＳ４６で、エアコン１０がオンであると判定している場合には、ステップＳ４７に進み、テレコン信号パルスを出力し、オフであればテレコン信号パルスは出力されない。
【００３４】
図５は、床暖房単独運転時のフローチャートである。
【００３５】
ステップＳ５１では運転キー２ａのオンオフ状態に応じて、ステップＳ５２又はステップＳ５３に進む。ステップＳ５２では、設定温度と現在温度との偏差から床暖房運転信号を送信するとともに、運転表示をオンとする。ただし、現在温度が設定温度以上であれば、２０分周期で熱動弁７０のオンオフ時間を制御して、室温を設定温度に維持するように制御する。
【００３６】
図６は、エアコン単独運転時のフローチャートである。
【００３７】
ステップＳ６１では運転キー２ａをオンすると、ステップＳ６２に進み、その操作がオン操作なのかオフ操作なのかを判断する。オン操作の場合にはステップＳ６３に進み、オフ操作であればステップＳ６５に進む。ステップＳ６３では室内機１０が運転状態にあるかどうかを判断し、運転ランプ３とエアコンランプ６が点灯する。そして、室内機１０の運転がオフであることを、テレコン１６のアンサバック信号により検出すると、テレコン信号パルスを約３００ｍｓｅｃの間だけ、出力する。
【００３８】
室内機１０はテレコン信号パルスの入力により「自動運転」を開始し、その運転開始時の室温に応じて、「暖房」「ドライ」「冷房」等の運転を行う。
【００３９】
ステップＳ６２でシステムリモコン２０による運転キー２ａの操作がオフ操作であっても、ステップＳ６５で室内機１０が運転状態にあるかどうかを判断し、上述したオン操作の場合と同様に、室内機１０がオンであればステップＳ６６ではテレコン信号パルスを送信して、室内機１０の運転を停止させる。なお、ステップＳ６４，Ｓ６６では判定遅延タイマがセットされる。
【００４０】
以上はシステムリモコン２０によるエアコン１０の単独運転操作であるが、次に赤外線リモコン４０による室内機１０の操作について説明する。
【００４１】
ステップＳ６７で判定遅延タイマの終了を確認する。ここではまず、赤外線リモコン４０により室内機１０がオフからオンに切替わったとき、ステップＳ７０からステップＳ７１に進んで、システムリモコン２０の運転表示もオンにする。すなわち、運転ランプ３、エアコンモードランプ６及び液晶表示部１の各種表示内容をオンする。そして、１秒程度に設定された判定遅延タイマが終了するまで、ステップＳ６８には進まずに、その運転状態の変化を判定しないようにしている。ステップＳ７２でシステムリモコン２０の運転状態がオフであっても、ステップＳ７３でタイマが終了したかどうかを判断し、上述したオン操作があった場合とは逆に、システムリモコン２０の運転ランプをオフにする。また、ステップＳ６９やステップＳ７２では運転状態の変化を判定し、変化した場合にはステップＳ７５に進む。これによって、運転変化タイマが設定されるから、システムリモコン２０から連続して短時間に運転キー２ａが操作された場合でも、或いはノイズを受信した場合でも、誤動作しない。
【００４２】
なお、熱源機３０は、システムリモコン２０やエアコン１０と双方向通信によって温度データを授受しており、これによって最適な温度で温水を生成し、床マット６０と室内機１０とに供給している。
【００４３】
本発明は、上述した実施の形態に限定されず、本発明の要旨を逸脱しない範囲で種々変形が可能である。
【００４４】
例えば、上述した実施例では、第１のリモコンとして赤外線リモコン４０を使用した場合を説明したが、これに限らず、室内の暖房を行う空気調和機の運転を制御する手段であればよく、同様な効果を得ることが出来る。
【００４５】
【発明の効果】
以上の通り、請求項１に記載の発明によれば、室内機と床暖房装置等を含む空気調和システムにおいて複数の空気調和機を第２のリモコン（システムリモコン等）によって統一的に制御できるようにしたので、運転制御を容易かつ簡便に行うことが可能となる。
【００４６】
請求項２に記載の発明によれば、空気調和機の単独運転時には、第２のリモコン（システムリモコン等）で運転状態を表示することができるので、運転状態の判断が容易であって、第１のリモコン（赤外線リモコン等）と併用でき、使い勝手の良いリモコン装置となる。
【００４７】
請求項３に記載の発明によれば、空気調和機と床暖房とを連動させて運転する場合には、室温と設定温度との偏差に応じて床暖房用の運転制御を行うことができる。
【図面の簡単な説明】
【図１】本発明の空気調和機の全体構成の概略を示すシステム図である。
【図２】図１に示すシステムリモコンの外観を示す正面図である。
【図３】図１に示す空気調和機の制御システムを示すブロック図である。
【図４】床暖房とエアコンとを連動して運転する場合のフローチャートである。
【図５】床暖房を単独で制御する場合のフローチャートである。
【図６】エアコンを単独で運転制御する場合のフローチャートである。
【符号の説明】
１０  室内機
２０  システムリモコン
３０  熱源機
４０  赤外線リモコン
５０  冷房室外機
６０  床マット
【図１】
0003722305.tif 000002
【図２】
0003722305.tif 000003
【図３】
0003722305.tif 000004
【図４】
0003722305.tif 000005
【図５】
0003722305.tif 000006
【図６】
0003722305.tif 000007